(57)【特許請求の範囲】
【請求項１】
ライブビュー画像及び前記ライブビュー画像に重畳表示される指標を表示するファインダであって、重畳表示される位置に応じて撮像条件又は画像処理条件を指示する前記指標を表示するファインダと、
前記指標を移動させるスワイプ操作を受け付けるタッチパネルと、
前記スワイプ操作により前記指標を粗動させる第１の感度又は前記指標を微動させる第２の感度を、前記スワイプ操作における前記タッチパネルへの接触動作を検出した前記タッチパネルの領域に応じて設定する感度設定部と、
前記タッチパネルでの前記スワイプ操作及び前記感度設定部により設定された感度に基づいて、前記指標を移動させる移動制御部と、
を備える撮像装置。
【請求項２】
前記タッチパネルは、第１の領域及び第２の領域を有し、
前記感度設定部は、前記接触動作が前記第１の領域で行われた場合には、前記第１の感度に設定し、前記接触動作が前記第２の領域で行われた場合には、前記第２の感度に設定する請求項１に記載の撮像装置。
【請求項３】
撮像装置の姿勢を検出する姿勢センサと、
前記姿勢センサの検出結果に基づいて、前記第１の領域及び前記第２の領域を設定する領域設定部と、
を更に備える請求項２に記載の撮像装置。
【請求項４】
前記タッチパネルは、前記スワイプ操作を検出しない不感領域である第３の領域を更に有する請求項２又は３に記載の撮像装置。
【請求項５】
ライブビュー画像及び前記ライブビュー画像に重畳表示される指標を表示するファインダであって、重畳表示される位置に応じて撮像条件又は画像処理条件を指示する前記指標を表示するファインダと、
前記指標を移動させるスワイプ操作を受け付けるタッチパネルと、
前記スワイプ操作により前記指標を粗動させる第１の感度又は前記指標を微動させる第２の感度を、前記スワイプ操作における前記タッチパネルへの接触動作を検出することにより設定する感度設定部と、
前記タッチパネルでの前記スワイプ操作及び前記感度設定部により設定された感度に基づいて、前記指標を移動させる移動制御部と、
を備え、
前記感度設定部は、前記接触動作が第１の接触面積で行われた場合には、前記第１の感度に設定し、前記接触動作が第２の接触面積で行われた場合には、前記第２の感度に設定する撮像装置。
【請求項６】
ライブビュー画像及び前記ライブビュー画像に重畳表示される指標を表示するファインダであって、重畳表示される位置に応じて撮像条件又は画像処理条件を指示する前記指標を表示するファインダと、
前記指標を移動させるスワイプ操作を受け付けるタッチパネルと、
前記スワイプ操作により前記指標を粗動させる第１の感度又は前記指標を微動させる第２の感度を、前記スワイプ操作における前記タッチパネルへの接触動作を検出することにより設定する感度設定部と、
前記タッチパネルでの前記スワイプ操作及び前記感度設定部により設定された感度に基づいて、前記指標を移動させる移動制御部と、
を備え、
前記感度設定部は、前記接触動作が第１の指の本数で行われた場合には、前記第１の感度に設定し、前記接触動作が第２の指の本数で行われた場合には、前記第２の感度に設定する撮像装置。
【請求項７】
前記感度を強制的に設定する感度強制設定部を備え、
前記タッチパネルは、前記スワイプ操作の開始地点及び終了地点を検出し、
前記感度強制設定部は、前記開始地点と前記終了地点との間の距離が閾値以下である場合には、前記第１の感度の受付設定と前記第２の感度の受付設定とを強制的に切り替える請求項１から６のいずれか１項に記載の撮像装置。
【請求項８】
前記感度強制設定部は、前記第１の感度での前記指標の移動において、前記開始地点と前記終了地点との間の距離が第１の閾値以下である場合には前記第２の感度に切り替え、前記第２の感度での前記指標の移動において、前記開始地点と前記終了地点との間の距離が第２の閾値以下である場合には前記第１の感度に強制的に切り替える請求項７に記載の撮像装置。
【請求項９】
前記指標は、フォーカスエリアの位置を示す請求項１から８のいずれか１項に記載の撮像装置。
【請求項１０】
前記指標は、ホワイトバランスの補正量を示す請求項１から９のいずれか１項に記載の撮像装置。
【請求項１１】
ライブビュー画像及び前記ライブビュー画像に重畳表示される指標を表示するファインダであって、重畳表示される位置に応じて撮像条件又は画像処理条件を指示する前記指標を表示するファインダと、前記指標を移動させるスワイプ操作を受け付けるタッチパネルと、を備える撮像装置の撮像方法であって、
前記スワイプ操作により前記指標を粗動させる第１の感度又は前記指標を微動させる第２の感度を、前記スワイプ操作における前記タッチパネルへの接触動作を検出した前記タッチパネルの領域に応じて設定する感度設定ステップと、
前記タッチパネルでの前記スワイプ操作及び前記感度設定ステップにより設定された感度に基づいて、前記指標を移動させる移動制御ステップと、
を含む撮像方法。
【請求項１２】
ライブビュー画像及び前記ライブビュー画像に重畳表示される指標を表示するファインダであって、重畳表示される位置に応じて撮像条件又は画像処理条件を指示する前記指標を表示するファインダと、前記指標を移動させるスワイプ操作を受け付けるタッチパネルと、を備える撮像装置の撮像工程をコンピュータに実行させるプログラムであって、
前記スワイプ操作により前記指標を粗動させる第１の感度又は前記指標を微動させる第２の感度を、前記スワイプ操作における前記タッチパネルへの接触動作を検出した前記タッチパネルの領域に応じて設定する感度設定ステップと、
前記タッチパネルでの前記スワイプ操作及び前記感度設定ステップにより設定された感度に基づいて、前記指標を移動させる移動制御ステップと、
を含む撮像工程をコンピュータに実行させるプログラム。
【請求項１３】
非一時的かつコンピュータ読取可能な記録媒体であって、前記記録媒体に格納された指令がコンピュータによって読み取られた場合に、
ライブビュー画像及び前記ライブビュー画像に重畳表示される指標を表示するファインダであって、重畳表示される位置に応じて撮像条件又は画像処理条件を指示する前記指標を表示するファインダと、前記指標を移動させるスワイプ操作を受け付けるタッチパネルと、を備える撮像装置の撮像工程であって、
前記スワイプ操作により前記指標を粗動させる第１の感度又は前記指標を微動させる第２の感度を、前記スワイプ操作における前記タッチパネルへの接触動作を検出した前記タッチパネルの領域に応じて設定する感度設定ステップと、
前記タッチパネルでの前記スワイプ操作及び前記感度設定ステップにより設定された感度に基づいて、前記指標を移動させる移動制御ステップと、
を含む撮像工程をコンピュータに実行させる記録媒体。
【発明の詳細な説明】
【技術分野】
【０００１】
本発明は、撮像装置、撮像方法、及びプログラムに関し、特に、タッチパネルを備える撮像装置の技術に関する。
【背景技術】
【０００２】
近年、デジタルカメラ（撮像装置）のボディの背面モニタにタッチパネルが設置される場合がある。ユーザは背面モニタを指でタッチすることにより、様々なデジタルカメラの操作を行うことができる。【０００３】
例えば特許文献１では、ユーザがファインダを覗き込んでいる際に、背面モニタのタッチパネルで検出したユーザの指の動きに従って、ファインダモニタにおけるＡＦ（Ａｕｔｏ  Ｆｏｃｕｓ）ターゲット枠（フォーカスエリア）の表示位置を移動させる技術が記載されている。又、特許文献１では、ユーザの指の動きの移動速度に応じて、ＡＦターゲット枠の移動中表示の移動速度を変更する技術が記載されている。具体的には、ユーザの指の移動速度が所定速度よりも高速である場合に、指の移動方向に従って移動中表示を高速で移動させ（単位時間当たりの移動中表示の位置の移動幅を大きくする）、ユーザの指の移動速度が所定速度よりも高速でない場合に、指の移動方向に従って移動中表示を低速で移動させる（単位時間当たりの移動中表示の位置の移動幅を小さくする）。【０００４】
又、例えば特許文献２では、ユーザがファインダを覗き込んでいる際に、ＡＦターゲット枠の長い距離の移動を、簡便に行うための技術が記載されている。具体的には、特許文献２に記載された技術では、ダブルタップ操作（タッチ位置の移動を含まない操作）が成されると、表示部にＡＦターゲット枠の移動過程を表示せずに、ダブルタップ操作が行われた位置にＡＦターゲット枠を表示させている。
【先行技術文献】
【特許文献】
【０００５】
【特許文献１】特開２０１２−２０３１４３号公報
【特許文献２】特開２０１８−０１３７４５号公報
【発明の概要】
【発明が解決しようとする課題】
【０００６】
ここで、背面モニタのタッチパネルへのタッチと連動してファインダに表示される指標を移動させる場合に、速い速度で指標を移動させたり、遅い速度で指標を移動させたりして、指標の移動速度を制御することが望まれている。【０００７】
例えば、被写体がファインダ内で上下左右に素早く動く場合、又はデジタルカメラの向きを横位置から縦位置（又は縦位置から横位置）に切り替える場合には、被写体の動き及びデジタルカメラの位置の切り替えに応じて、フォーカスエリアを素早く且つ正確に移動させることが望まれている。【０００８】
又例えば、様々な色温度のミックス光源の環境下においてテンポよく撮影するためには、被写体の位置によってホワイトバランスシフトの位置を素早く且つ正確に移動させることが望まれている。【０００９】
特許文献１には、ユーザの指の動きの移動速度に応じて、ＡＦターゲット枠の移動中表示の移動速度を変える技術が記載されている。しかし、この特許文献１に記載された技術では、ＡＦターゲットの移動速度の高低を制御するためには、ユーザは指の移動速度を正確に制御しなければならず、正確に且つ簡便にＡＦターゲットの移動速度の制御を行うことは困難である。【００１０】
又、特許文献２には、ＡＦターゲット枠の移動の速さを変更することは言及されていない。【００１１】
本発明はこのような事情に鑑みてなされたもので、その目的は、ファインダ用モニタに表示される指標の移動感度を、背面モニタに設置されるタッチパネルを使用して、ユーザの所望の感度に、正確に且つ簡便に制御することができる撮像装置、撮像方法、及びプログラムを提供することである。
【課題を解決するための手段】
【００１２】
上記目的を達成するための本発明の一の態様である撮像装置は、ライブビュー画像及びライブビュー画像に重畳表示される指標を表示するファインダであって、重畳表示される位置に応じて撮像条件又は画像処理条件を指示する指標を表示するファインダと、指標を移動させるスワイプ操作を受け付けるタッチパネルと、スワイプ操作により指標を粗動させる第１の感度又は指標を微動させる第２の感度を、スワイプ操作におけるタッチパネルへの接触動作を検出することにより設定する感度設定部と、タッチパネルでのスワイプ操作及び感度設定部により設定された感度に基づいて、指標を移動させる移動制御部と、を備える。【００１３】
本態様によれば、タッチパネルへの接触動作に応じて、第１の感度又は第２の感度が設定されて、その設定された感度に基づいて、スワイプ操作に沿って指標が移動させられる。これにより、ユーザは、タッチパネルへの接触動作を変えることにより、正確に且つ簡便に第１の感度又は第２の感度で指標を移動させることができる。【００１４】
好ましくは、タッチパネルは、第１の領域及び第２の領域を有し、感度設定部は、接触動作が第１の領域で行われた場合には、第１の感度に設定し、接触動作が第２の領域で行われた場合には、第２の感度に設定する。【００１５】
本態様によれば、ユーザは、第１の感度で指標を移動させたい場合には、第１の領域で接触動作を行い、第２の感度で指標を移動させたい場合には、第２の領域で接触動作を行う。これにより、ユーザは、接触動作を行う領域を選択することにより、正確に且つ簡便に第１の感度又は第２の感度で指標を移動させることができる。【００１６】
好ましくは、撮像装置は、撮像装置の姿勢を検出する姿勢センサと、姿勢センサの検出結果に基づいて、第１の領域及び第２の領域を設定する領域設定部と、を更に備える。【００１７】
本態様によれば、撮像装置の姿勢に基づいて、第１の領域及び第２の領域が設定されるので、ユーザは撮像装置の姿勢に応じて、接触動作を行う領域を容易に選択することができる。【００１８】
好ましくは、タッチパネルは、スワイプ操作を検出しない不感領域である第３の領域を更に有する。【００１９】
本態様によれば、ユーザが意図せずにタッチパネルに接触してしまう領域を、スワイプ操作を検出しない不感領域である第３の領域とすることで、ユーザが意図しない誤操作を抑制し、正確な指標の移動制御を行うことができる。【００２０】
好ましくは、感度設定部は、接触動作が第１の押圧で行われた場合には、第１の感度に設定し、接触動作が第２の押圧で行われた場合には、第２の感度に設定する。【００２１】
本態様によれば、ユーザは、第１の感度で指標を移動させたい場合には、第１の押圧で接触動作を行い、第２の感度で指標を移動させたい場合には、第２の押圧で接触動作を行う。これにより、ユーザは、接触動作の押圧を選択することにより、正確且つ簡便に第１の感度又は第２の感度で指標を移動させることができる。【００２２】
好ましくは、感度設定部は、接触動作が第１の接触面積で行われた場合には、第１の感度に設定し、接触動作が第２の接触面積で行われた場合には、第２の感度に設定する。【００２３】
本態様によれば、ユーザは、第１の感度で指標を移動させたい場合には、第１の接触面積で接触動作を行い、第２の感度で指標を移動させたい場合には、第２の接触面積で接触動作を行う。これにより、ユーザは、接触動作の接触面積を選択することにより、正確且つ簡便に第１の感度又は第２の感度で指標を移動させることができる。【００２４】
好ましくは、感度設定部は、接触動作が第１の指の本数で行われた場合には、第１の感度に設定し、接触動作が第２の指の本数で行われた場合には、第２の感度に設定する。【００２５】
本態様によれば、ユーザは、第１の感度で指標を移動させたい場合には、第１の指の本数で接触動作を行い、第２の感度で指標を移動させたい場合には、第２の指の本数で接触動作を行う。これにより、ユーザは、接触動作の指の本数を選択することにより、正確且つ簡便に第１の感度又は第２の感度で指標を移動させることができる。
【００２６】
好ましくは、撮像装置は、感度を強制的に設定する感度強制設定部を更に備え、タッチパネルは、スワイプ操作の開始地点及び終了地点を検出し、感度強制設定部は、開始地点と終了地点との間の距離が閾値以下である場合には、第１の感度の受付設定と第２の感度の受付設定とを強制的に切り替える。【００２７】
本態様によれば、感度強制設定部は、開始地点と終了地点との間の距離が閾値以下である場合には、第１の感度の受付設定と第２の感度の受付設定とを強制的に切り替える。これにより、本態様は、ユーザが意図しない感度で指標の移動が行われた場合には、簡便に感度の切り替えを行うことができる。【００２８】
好ましくは、感度強制設定部は、第１の感度での指標の移動において、開始地点と終了地点との間の距離が第１の閾値以下である場合には第２の感度に切り替え、第２の感度での指標の移動において、開始地点と終了地点との間の距離が第２の閾値以下である場合には第１の感度に強制的に切り替える。【００２９】
本態様によれば、指標の設定された感度に応じて、開始地点と終了地点との間の距離に所定の閾値が設定され、この閾値に基づいて、感度強制設定部は感度の切り替えを行う。これにより、指標の移動する感度に応じて適切な感度の切り替えを行うことができる。【００３０】
好ましくは、指標は、フォーカスエリアの位置を示す。【００３１】
本態様によれば、ユーザは意図する感度により、フォーカスエリアの位置を移動させることができる。【００３２】
好ましくは、指標は、ホワイトバランスの補正量を示す。【００３３】
本態様によれば、ユーザは意図する感度により、ホワイトバランスの補正量を変更することができる。【００３４】
本発明の他の態様である撮像方法は、ライブビュー画像及びライブビュー画像に重畳表示される指標を表示するファインダであって、重畳表示される位置に応じて撮像条件又は画像処理条件を指示する指標を表示するファインダと、指標を移動させるスワイプ操作を受け付けるタッチパネルと、を備える撮像装置の撮像方法であって、スワイプ操作により指標を粗動させる第１の感度又は指標を微動させる第２の感度を、スワイプ操作におけるタッチパネルへの接触動作を検出することにより設定する感度設定ステップと、タッチパネルでのスワイプ操作及び感度設定ステップにより設定された感度に基づいて、指標を移動させる移動制御ステップと、を含む。【００３５】
本発明の他の態様であるプログラムは、ライブビュー画像及びライブビュー画像に重畳表示される指標を表示するファインダであって、重畳表示される位置に応じて撮像条件又は画像処理条件を指示する指標を表示するファインダと、指標を移動させるスワイプ操作を受け付けるタッチパネルと、を備える撮像装置の撮像工程をコンピュータに実行させるプログラムであって、スワイプ操作により指標を粗動させる第１の感度又は指標を微動させる第２の感度を、スワイプ操作におけるタッチパネルへの接触動作を検出することにより設定する感度設定ステップと、タッチパネルでのスワイプ操作及び感度設定ステップにより設定された感度に基づいて、指標を移動させる移動制御ステップと、を含む撮像工程をコンピュータに実行させる。
【発明の効果】
【００３６】
本発明によれば、タッチパネルへの接触動作に応じて、第１の感度又は第２の感度が設定されて、その設定された感度に基づいて、スワイプ操作に沿って指標が移動させられるので、ユーザは、タッチパネルへの接触動作を変えることにより、正確に且つ簡便に第１の感度又は第２の感度で指標を移動させることができる。
【図面の簡単な説明】
【００３７】
【図１】図１は、撮像装置の一例を示す斜視図である。
【図２】図２は、撮像装置の一例を示す背面図である。
【図３】図３は、撮像装置の内部構成の実施形態を示すブロック図である。
【図４】図４は、ＣＰＵの主な機能構成例を示すブロック図である。
【図５】図５は、タッチパネルの領域分割の一例を示す図である。
【図６】図６は、タッチパネルにおけるスワイプ操作を示す図である。
【図７】図７は、ファインダ用モニタでのフォーカスエリアの移動を示す図である。
【図８】図８は、タッチパネルにおけるスワイプ操作を示す図である。
【図９】図９は、ファインダ用モニタでのフォーカスエリアの移動を示す図である。
【図１０】図１０は、撮像装置の動作フローを示すフローチャートである。
【図１１】図１１は、タッチパネルに設定された領域を示す図である。
【図１２】図１２は、ＣＰＵの主な機能構成例を示すブロック図である。
【図１３】図１３は、撮像装置が縦位置である場合の領域設定の例を示す図である。
【図１４】図１４は、撮像装置が縦位置である場合の領域設定の例を示す図である。
【図１５】図１５は、撮像装置の縦位置及び横位置に応じて、粗動開始領域、微動開始領域、及び不感領域の領域設定の流れを示すフローチャートである。
【図１６】図１６は、ＣＰＵの主な機能構成例を示すブロック図である。
【図１７】図１７は、タッチパネルにおけるスワイプ操作を示す図である。
【図１８】図１８は、ファインダ用モニタでのフォーカスエリアの移動を示す図である。
【図１９】図１９は、戻し操作の検出及び受付設定の変更の流れを示すフローチャートである。
【図２０】図２０は、ファインダ用モニタに、ホワイトバランスシフト画像が表示されていることを示す図である。
【発明を実施するための形態】
【００３８】
以下、添付図面に従って本発明にかかる撮像装置、撮像方法、及びプログラムの好ましい実施の形態について説明する。
【００３９】
［撮像装置］
図１及び図２は、それぞれ撮像装置の一例（デジタルカメラ）を示す斜視図及び背面図である。この撮像装置１０は、レンズを通った光を撮像素子で受け、デジタル信号に変換して静止画又は動画の画像データとして記録メディアに記録するデジタルカメラである。
【００４０】
図１に示すように撮像装置１０は、その正面に撮影レンズ１２、ストロボ１等が配設され、上面にはシャッタボタン２、電源／モードスイッチ３、モードダイヤル４等が配設されている。一方、図２に示すように、カメラ背面には、液晶モニタ（ＬＣＤ：Liquid Crystal Display)で構成される背面モニタ３０、ズームボタン５、十字ボタン６、ＭＥＮＵ／ＯＫボタン７、再生ボタン８、ＢＡＣＫボタン９、ファインダ１１、液晶モニタで構成されるファインダ用モニタ１３、アイセンサ１７等が配設されている。
【００４１】
撮影レンズ１２は、沈胴式のズームレンズで構成されており、電源／モードスイッチ３によってカメラの作動モードを撮影モードに設定することにより、カメラ本体から繰り出される。ストロボ１は、主要被写体にストロボ光を照射するものである。
【００４２】
シャッタボタン２は、いわゆる「半押し」と「全押し」とからなる２段ストローク式のスイッチで構成され、撮影準備指示部として機能するとともに、画像の記録指示部として機能する。
【００４３】
撮像装置１０は、撮影モードとして静止画撮影モードが選択され、シャッタボタン２が「半押し」されると、ＡＦ（Autofocus）／ＡＥ（Auto Exposure)制御を行う撮影準備動作を行い、シャッタボタン２が「全押し」されると、静止画の撮像及び記録を行う。
【００４４】
又、撮像装置１０は、撮影モードとして動画撮影モードが選択され、シャッタボタン２が「全押し」されると、動画の録画を開始し、シャッタボタン２が再度「全押し」されると、録画を停止して待機状態になる。
【００４５】
電源／モードスイッチ３は、撮像装置１０の電源をＯＮ／ＯＦＦする電源スイッチとしての機能と、撮像装置１０のモードを設定するモードスイッチとしての機能とを併せ持っており、「ＯＦＦ位置」と「再生位置」と「撮影位置」との間をスライド自在に配設されている。撮像装置１０は、電源／モードスイッチ３をスライドさせて、「再生位置」又は「撮影位置」に合わせることにより、電源がＯＮになり、「ＯＦＦ位置」に合わせることにより、電源がＯＦＦになる。そして、電源／モードスイッチ３をスライドさせて、「再生位置」に合わせることにより、「再生モード」に設定され、「撮影位置」に合わせることにより、「撮影モード」に設定される。
【００４６】
モードダイヤル４は、撮像装置１０の撮影モードを設定するモード切替部として機能し、このモードダイヤル４の設定位置により、撮像装置１０の撮影モードが様々なモードに設定される。例えば、静止画撮影を行う「静止画撮影モード」、動画撮影を行う「動画撮影モード」等である。
【００４７】
背面モニタ３０及びファインダ用モニタ１３は、撮影モード時のライブビュー画像の表示、再生モード時の静止画又は動画の表示を行うとともに、メニュー画面の表示等を行うことでグラフィカルユーザーインターフェースの一部として機能する。又、背面モニタ３０にはタッチパネル３１（図３）が一体的に設置されている。
【００４８】
ズームボタン５は、ズームを指示するズーム指示手段として機能し、望遠側へのズームを指示するテレボタン５Ｔと、広角側へのズームを指示するワイドボタン５Ｗとからなる。撮像装置１０は、撮影モード時に、このテレボタン５Ｔとワイドボタン５Ｗとが操作されることにより、撮影レンズ１２の焦点距離が変化する。又、再生モード時に、このテレボタン５Ｔとワイドボタン５Ｗとが操作されることにより、再生中の画像が拡大、縮小する。
【００４９】
十字ボタン６は、上下左右の４方向の指示を入力する操作部であり、メニュー画面から項目を選択したり、各メニューから各種設定項目の選択を指示したりするボタン（カーソル移動操作手段）として機能する。左／右キーは再生モード時のコマ送り（順方向／逆方向送り）ボタンとして機能する。
【００５０】
ＭＥＮＵ／ＯＫボタン７は、背面モニタ３０の画面上にメニューを表示させる指令を行うためのメニューボタンとしての機能と、選択内容の確定及び実行などを指令するＯＫボタンとしての機能とを兼備した操作ボタンである。
【００５１】
再生ボタン８は、撮影記録した静止画又は動画を背面モニタ３０に表示させる再生モードに切り替えるためのボタンである。
【００５２】
ＢＡＣＫボタン９は、入力操作のキャンセルや一つ前の操作状態に戻すことを指示するボタンとして機能する。
【００５３】
尚、上述したボタン／スイッチ類に対して固有の部材が設けられているが、タッチパネル３１を操作することでそれらボタン／スイッチ類の機能を実現することもできる。
【００５４】
［撮像装置の内部構成］
図３は撮像装置１０の内部構成の実施形態を示すブロック図である。この撮像装置１０は、撮像した画像をメモリカード５４に記録するもので、装置全体の動作は、中央処理装置（ＣＰＵ：Central Processing Unit）４０によって統括制御される。
【００５５】
撮像装置１０には、シャッタボタン２、電源／モードスイッチ３、モードダイヤル４、テレボタン５Ｔ、ワイドボタン５Ｗ、十字ボタン６、ＭＥＮＵ／ＯＫボタン７、再生ボタン８、ＢＡＣＫボタン９等の操作部３８が設けられている。この操作部３８からの信号はＣＰＵ４０に入力され、ＣＰＵ４０は入力信号に基づいて撮像装置１０の各回路を制御し、例えば、センサ駆動部３２による撮像素子（イメージセンサ）１６の駆動制御、シャッタ駆動部３３によるメカシャッタ（機械的シャッタ）１５の駆動制御、絞り駆動部３４による絞り１４の駆動制御、及びレンズ駆動部３６による撮影レンズ１２の駆動制御を司る他、撮影動作制御、画像処理制御、画像データの記録／再生制御、ファインダ用モニタ１３、及び背面モニタ３０の表示制御などを行う。
【００５６】
電源／モードスイッチ３により撮像装置１０の電源がＯＮされると、図示しない電源部から各ブロックへ給電され、撮像装置１０の駆動が開始される。
【００５７】
撮影レンズ１２、絞り１４、メカシャッタ（機械的シャッタ）１５等を通過した光束は、ＣＭＯＳ（Complementary Metal-Oxide Semiconductor）型のカラーイメージセンサである撮像素子１６に結像される。尚、撮像素子１６は、ＣＭＯＳ型に限らず、ＸＹアドレス型、又はＣＣＤ（Charge Coupled Device）型のカラーイメージセンサでもよい。
【００５８】
撮像素子１６は、多数の受光素子（フォトダイオード）が２次元配列されており、各フォトダイオードの受光面に結像された被写体像は、その入射光量に応じた量の信号電圧（又は電荷）に変換され、撮像素子１６内のＡ／Ｄ（Analog/Digital）変換器を介してデジタル信号に変換されて出力される。
【００５９】
動画又は静止画の撮影時に撮像素子１６から読み出された画像信号（画像データ）は、画像入力コントローラ２２を介してメモリ（ＳＤＲＡＭ(Synchronous Dynamic Random Access Memory)）４８に一時的に記憶され、あるいはＡＦ処理部４２、ＡＥ検出部４４等に取り込まれる。
【００６０】
ＣＰＵ４０は、操作部３８での操作に基づいて撮像装置１０の各部を統括制御するが、ライブビュー画像の撮影（表示）、及び動画の撮影（記録）中には、常時ＡＦ動作及びＡＥ動作を行う。
【００６１】
ＡＦ処理部４２は、コントラストＡＦ処理又は位相差ＡＦ処理を行う部分である。コントラストＡＦ処理を行う場合には、連続して撮像された画像中のＡＦ領域内の画像の高周波成分を抽出し、この高周波成分を積分することにより合焦状態を示すＡＦ評価値を算出する。ＣＰＵ４０は、ＡＦ処理部４２により算出されたＡＦ評価値に基づいて、ＡＦ評価値が極大となるレンズ位置に撮影レンズ１２内のフォーカスレンズを移動させることによりＡＦ制御（コントラストＡＦ）を行う。
【００６２】
又、撮像素子１６が位相差画素を有する場合、ＡＦ処理部４２は、例えば、ＡＦ領域の一対の複数の位相差画素の各出力データに基づいて、位相差データ（例えば、一対の位相差画素の各出力データの差分絶対値の積算値）を算出し、算出した位相差データに基づいて撮影レンズ１２によるピント位置と撮像素子１６の結像面との光軸方向のずれ量（デフォーカス量）を算出する。ＣＰＵ４０は、ＡＦ処理部４２により算出されたデフォーカス量に基づいて、デフォーカス量がゼロになるレンズ位置に撮影レンズ１２内のフォーカスレンズを移動させることによりＡＦ制御（位相差ＡＦ）を行う。
【００６３】
ＡＥ検出部４４は、画像入力コントローラ２２を介して取得される画像データ（例えば、画面全体のＧ画素の画素値）を積算し、又は画面中央部と周辺部とで異なる重みづけをした画像データ（Ｇ画素の画素値）を積算し、その積算値をＣＰＵ４０に出力する。ＣＰＵ４０は、ＡＥ検出部４４から入力される積算値より被写体の明るさ（撮影Ｅｖ値（exposure value））を算出する。撮影モードが静止画撮影モードの場合には、シャッタボタン２の第１段階の押下（半押し）があると、ＣＰＵ４０は、前述のＡＦ制御を再度行い、シャッタボタン２の全押しがあると、被写体の明るさ（撮影Ｅｖ値）を算出し、算出した撮影Ｅｖ値に基づいて絞り１４のＦ値及びメカシャッタ１５による露光時間（シャッタ速度）をプログラム線図にしたがって決定し、静止画の撮影（露出制御）を行う。
【００６４】
一方、撮影モードが動画撮影モードの場合には、シャッタボタン２の全押しがあると、ＣＰＵ４０は、動画の撮影及び記録（録画）を開始させる。尚、動画撮影時には、メカシャッタ１５を開放し、撮像素子１６から画像データを連続的に読み出し（例えば、フレームレートとして３０フレーム／秒、６０フレーム／秒）、連続的に位相差ＡＦを行うとともに、被写体の明るさを算出し、シャッタ駆動部３３によりシャッタ速度（ローリングシャッタによる電荷蓄積時間）及び／又は絞り駆動部３４により絞り１４を制御する。
【００６５】
ＣＰＵ４０は、ズームボタン５からのズーム指令に応じてレンズ駆動部３６を介してズームレンズを光軸方向に進退動作させ、焦点距離を変更させる。
【００６６】
又、ＲＯＭ４７は、カメラ制御プログラム、撮像素子１６の欠陥情報、画像処理等に使用する各種のパラメータやテーブルが記憶されているＲＯＭ（Read Only Memory）、又はＥＥＰＲＯＭ（Electrically Erasable Programmable Read-Only Memory）である。
【００６７】
画像処理部２４は、動画又は静止画の撮影時に画像入力コントローラ２２を介して取得され、メモリ４８に一時的に記憶された未処理の画像データ（ＲＡＷデータ）を読み出す。画像処理部２４は、読み出したＲＡＷデータに対してオフセット処理、画素補間処理（位相差検出用画素、傷画素等の補間処理）、ホワイトバランス補正、感度補正を含むゲインコントロール処理、ガンマ補正処理、同時化処理（「デモザイク処理」ともいう）、輝度及び色差信号生成処理、輪郭強調処理、及び色補正等を行う。
【００６８】
画像処理部２４により処理された画像データであって、ライブビュー画像として処理された画像データは、ＶＲＡＭ（Video RAM Random access memory）５０に入力される。
【００６９】
ＶＲＡＭ５０には、それぞれが１コマ分の画像を表す画像データを記録するＡ領域とＢ領域とが含まれている。ＶＲＡＭ５０において１コマ分の画像を表す画像データがＡ領域とＢ領域とで交互に書き換えられる。ＶＲＡＭ５０のＡ領域及びＢ領域のうち、画像データが書き換えられている方の領域以外の領域から、書き込まれている画像データが読み出される。
【００７０】
ＶＲＡＭ５０から読み出された画像データは、ビデオエンコーダ２８においてエンコーディングされ、カメラ背面に設けられているファインダ用モニタ１３及び背面モニタ３０に出力される。これにより、被写体像を示すライブビュー画像がファインダ用モニタ１３及び背面モニタ３０に表示される。尚ライブビュー画像のファインダ用モニタ１３又は背面モニタ３０への表示は、アイセンサ１７の検出により制御される。アイセンサ１７によりユーザがファインダ用モニタ１３を覗いていると検出された場合には、ファインダ用モニタ１３にライブビュー画像を表示し、ユーザがファインダ用モニタ１３を覗いていないと検出された場合には、背面モニタ３０にライブビュー画像を表示する。
【００７１】
アイセンサ１７は、ユーザがファインダ用モニタ１３を覗いているか否かを検出するセンサである。アイセンサ１７は、例えば赤外線センサにより構成されている。
【００７２】
タッチパネル３１は、背面モニタ３０と一体的に設けられている。タッチパネル３１は、ユーザの指１２０の接触をユーザからの操作として検出する。ここで、タッチパネル３１は、抵抗膜方式や静電容量方式等、各種の方式により接触を検出する。
【００７３】
タッチセンサ入力部４９は、タッチパネル３１からの信号から、タッチパネル３１上におけるユーザの指１２０のタッチ位置や指１２０の動きを解析し、解析した結果を出力する。
【００７４】
画像処理部２４により処理された画像データであって、記録用の静止画又は動画として処理された画像データ（輝度データ(Ｙ)及び色差データ(Ｃｂ),(Ｃｒ)）は、再びメモリ４８に記憶される。
【００７５】
圧縮伸張処理部２６は、静止画又は動画の記録時に、画像処理部２４により処理され、メモリ４８に格納された輝度データ(Ｙ)及び色差データ(Ｃｂ),(Ｃｒ)に対して圧縮処理を施す。静止画の場合には、例えばJPEG(Joint Photographic coding Experts Group)形式で圧縮し、動画の場合には、例えばH.264形式で圧縮する。圧縮伸張処理部２６により圧縮された圧縮画像データは、メディアコントローラ５２を介してメモリカード５４に記録される。
【００７６】
又、圧縮伸張処理部２６は、再生モード時にメディアコントローラ５２を介してメモリカード５４から得た圧縮画像データに対して伸張処理を施す。メディアコントローラ５２は、メモリカード５４に対する圧縮画像データの記録及び読み出しなどを行う。
【００７７】
姿勢センサ５１は、撮像装置１０の姿勢を検出するセンサであり、例えばジャイロセンサで構成される。姿勢センサ５１は、ユーザの撮影姿勢に応じて撮像装置１０が横位置であるのか、縦位置であるのかを検出する。又、姿勢センサ５１は、撮像装置１０が縦位置である場合には、ファインダ１３が撮像方向に対して右側にある縦位置であるのか、ファインダ１３が撮像方向に対して左側にある縦位置であるのかを検出することができる。
【００７８】
＜第１の実施形態＞
図４は、本実施形態のＣＰＵ４０の主な機能構成例を示すブロック図である。
【００７９】
本実施形態のＣＰＵ４０は、感度設定部１０１及び移動制御部１０３を有する。
【００８０】
感度設定部１０１は、指標を移動させる場合の感度を設定する。感度設定部１０１は、タッチパネル３１で受け付けられたスワイプ操作に応じて移動する指標の感度を設定する。ここで感度とは、タッチパネル３１で受け付けられたスワイプ操作の移動距離に応じた指標の移動距離のことである。又、指標とは、ライブビュー画像に重畳表示されるマーク等であり、重畳表示される位置に応じて撮像条件又は画像処理条件を指示することができる。例えば指標によりフォーカスエリアが示される。又、例えば指標により、ホワイトバランスシフトのシフト量が示される。
【００８１】
感度が高い場合（第１の感度）には、スワイプ操作の移動距離に対して、指標の移動距離は長めに設定され、指標の移動速度は速くなる（粗動）。一方、感度が低い場合（第２の感度）には、スワイプ操作の移動距離に対して、指標の移動距離は短めに設定され、指標の移動速度は遅くなる（微動）。
【００８２】
移動制御部１０３は、タッチパネル３１でのスワイプ操作及び感度設定部１０１により設定された感度に基づいて、指標を移動させる。具体的には、移動制御部１０３は、接触動作により決定された感度により、スワイプ操作と連動して、ファインダ用モニタ１３に表示されている指標を移動させる。接触動作により第１の感度が設定された場合には、その後のスワイプ操作に連動させて、第１の感度により指標を移動させる。又、接触動作により第２の感度が設定された場合には、その後のスワイプ操作に連動させて、第２の感度により指標を移動させる。
【００８３】
タッチパネル３１への接触動作の一例に関して説明する。本例ではタッチパネル３１に領域が設けられ、接触動作が行われた領域に応じて感度が設定される。
【００８４】
図５は、タッチパネル３１の領域分割の一例を示す図である。
【００８５】
タッチパネル３１は、粗動開始領域（第１の領域）Ｗ１と微動開始領域（第２の領域）Ｗ２とで構成されている。粗動開始領域Ｗ１及び微動開始領域Ｗ２は、タッチパネル３１の短辺Ｌ２を二等分するように設けられている。
【００８６】
粗動開始領域Ｗ１に接触動作が行われた場合には、粗動感度により、指標が移動される。又、微動開始領域Ｗ２に接触動作が行われた場合には、微動感度により、指標が移動される。接触動作とは、スワイプ操作における最初のタッチパネル３１へのタッチダウンの動作のことであり、スワイプ操作は、タッチパネル３１へ指１２０の接触動作が行われたのちに、指１２０がタッチパネル３１へ接触した状態のまま移動させることである。感度設定部１０１は、接触動作（最初のタッチパネル３１へのタッチダウン）を検出することにより、粗動感度及び微動感度を設定するので、スワイプ操作の途中で指１２０が異なる領域に接触した場合であっても、最初に設定された感度により固定して、指標の移動の途中で感度の変化が発生しないようにする。
【００８７】
＜指標の粗動感度＞
図６及び図７は、粗動感度により指標を移動させる場合の例を示す図である。
【００８８】
図６は、タッチパネル３１におけるスワイプ操作を示す図である。又、図７は、図６に示したスワイプ操作に連動して、ファインダ用モニタ１３でのフォーカスエリアＦの移動を示す図である。尚図７では、ファインダ用モニタ１３でのフォーカスエリアＦの候補が表示されているが、実際のファインダ用モニタ１３ではこのフォーカスエリアＦの候補は表示されていない場合がある。
【００８９】
図６に示すように、ユーザは指１２０を使用して、タッチパネル３１に対してスワイプ操作を行う。具体的には、粗動開始領域Ｗ１において、指１２０の接触動作が行われる。そして、指１２０は矢印１２２に沿ってスワイプ操作を行う。このスワイプ操作に連動して、図７に示すようにファインダ用モニタ１３では、指標の一例であるフォーカスエリアＦの位置がＦ１からＦ２に矢印１２４に沿って移動する。このフォーカスエリアＦの移動は、粗動感度により行われる。このように粗動感度でフォーカスエリアＦを移動させることができると、被写体である猫１２６が素早く動く場合であっても、その動きに応じてフォーカスエリアＦの位置を素早く、移動させることができる。
【００９０】
＜指標の微動の動き＞
図８及び図９は、微動感度により指標が移動する場合の例を示す図である。
【００９１】
図８は、タッチパネル３１におけるスワイプ操作を示す図である。又、図９は、図８に示したスワイプ操作に連動して、ファインダ用モニタ１３でのフォーカスエリアＦの移動を示す図である。
【００９２】
図８に示すように、ユーザは指１２０を使用して、タッチパネル３１に対してスワイプ操作を行う。具体的には、タッチパネル３１の微動開始領域Ｗ２において、指１２０の接触動作が行われる。そして、指１２０は矢印１２２に沿ってスワイプ操作が行われる。このスワイプ操作に連動して、図９に示すようにファインダ用モニタ１３では、フォーカスエリアＦの位置がＦ３からＦ４に矢印１２４に沿って移動する。このフォーカスエリアＦの移動は、微動感度により行われる。このように微動感度により指標の移動が行われると、被写体である猫１２６の顔に正確にフォーカスエリアＦの位置を合わせる場合に、ユーザは簡便にフォーカスエリアＦの位置を正確に合わせることができる。
【００９３】
次に、撮像装置１０を使用した撮像方法（撮像工程）を説明する。
【００９４】
図１０は、撮像装置１０の動作フローを示すフローチャートである。
【００９５】
先ず、撮像装置１０のタッチパネル３１により、ユーザの指１２０の接触動作を検出し、タッチセンサ入力部４９を介して、タッチパネル３１における接触動作が行われた領域が検出される（ステップＳ１０）。そして、感度設定部１０１は、タッチパネル３１が接触動作を検出した領域が粗動開始領域Ｗ１であるか微動開始領域Ｗ２であるかを判定する（ステップＳ１１）。接触動作が粗動開始領域Ｗ１で検出された場合には、感度設定部１０１は感度を粗動に設定する（ステップＳ１２：感度設定ステップ）。一方、接触動作が微動開始領域Ｗ２で検出された場合には、感度設定部１０１は感度を微動に設定する（ステップＳ１３：感度設定ステップ）。その後、移動制御部１０３はタッチパネル上でのスワイプ操作を検出し（ステップＳ１４）、指標を設定された感度によりスワイプ操作に連動させて移動させる（ステップＳ１５：移動制御ステップ）。
【００９６】
上記実施形態において、各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【００９７】
１つの処理部は、これら各種のプロセッサのうちの１つで構成されていてもよいし、同種又は異種の２つ以上のプロセッサ（例えば、複数のＦＰＧＡ、あるいはＣＰＵとＦＰＧＡの組み合わせ）で構成されてもよい。又、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００９８】
さらに、これらの各種のプロセッサのハードウェア的な構造は、より具体的には、半導体素子などの回路素子を組み合わせた電気回路（circuitry）である。
【００９９】
上述の各構成及び機能は、任意のハードウェア、ソフトウェア、或いは両者の組み合わせによって適宜実現可能である。例えば、上述の処理ステップ（処理手順）をコンピュータに実行させるプログラム、そのようなプログラムを記録したコンピュータ読み取り可能な記録媒体（非一時的記録媒体）、或いはそのようなプログラムをインストール可能なコンピュータに対しても本発明を適用することが可能である。
【０１００】
＜第２の実施形態＞
次に、第２の実施形態に関して説明する。本実施形態では、タッチパネル３１において、粗動開始領域Ｗ１及び微動開始領域Ｗ２に加えて、不感領域（第３の領域）Ｗ３が設けられている。
【０１０１】
図１１は、タッチパネル３１に設定された領域を示す図である。尚、図５で既に説明を行った箇所は同じ符号を付し説明は省略する。
【０１０２】
タッチパネル３１には、粗動開始領域Ｗ１、微動開始領域Ｗ２、及び不感領域Ｗ３が設けられている。不感領域Ｗ３は、スワイプ操作を検出しない領域である。不感領域Ｗ３を設けることにより、ユーザが意図せずにタッチパネル３１に接触した場合であっても、指標が誤って移動することを抑制することができる。
【０１０３】
図１１では、ユーザが右目によりファインダ１１を覗き込む場合に適する不感領域Ｗ３の配置を示す。図１１では、ユーザが右目によりファインダ１１を覗き込んだ場合に、顔の一部が接触する可能性のある領域を不感領域Ｗ３としている。これにより、ユーザが右目によりファインダ１１を覗き込んだ場合に、意図せずに顔の一部がタッチパネル３１に触れてしまった場合であっても、指標が誤って移動することが抑制される。
【０１０４】
＜第３の実施形態＞
次に第３の実施形態に関して説明する。本実施形態では、撮像装置１０の姿勢に基づいて、粗動開始領域Ｗ１、微動開始領域Ｗ２、不感領域Ｗ３が設定される。
【０１０５】
図１２は、本実施形態のＣＰＵ４０の主な機能構成例を示すブロック図である。尚、図４で既に説明を行った箇所は、同じ符号を付し説明は省略する。
【０１０６】
領域設定部１０５は、姿勢センサ５１の検出結果に基づいて、タッチパネル３１において粗動開始領域Ｗ１及び微動開始領域Ｗ２を設定する。具体的には、姿勢センサ５１により撮像装置１０が横位置であるか縦位置であるかが検出され、領域設定部１０５は、横位置であるか縦位置であるかで、粗動開始領域Ｗ１及び微動開始領域Ｗ２の配置を変える。又、領域設定部１０５は、粗動開始領域Ｗ１及び微動開始領域Ｗ２の配置を変えるのに合わせて、不感領域Ｗ３の配置も変える。
【０１０７】
図１３は、撮像装置１０が縦位置である場合の領域設定の例を示す図である。
【０１０８】
図１３に示す例は、撮像装置１０が縦位置でファインダ１１が撮像方向に向かって左側に存在する例である。この場合には、タッチパネル３１の長辺Ｌ１を二等分する形で粗動開始領域Ｗ１と微動開始領域Ｗ２とを設定する。このように粗動開始領域Ｗ１と微動開始領域Ｗ２とを設定することにより、撮像装置１０が縦位置になったとしても、ユーザが粗動開始領域Ｗ１及び微動開始領域Ｗ２において、接触動作及びスワイプ操作を容易に行うことができる。
【０１０９】
図１４は、撮像装置１０が縦位置である場合の領域設定の例を示す図である。
【０１１０】
図１４に示す例は、撮像装置１０が縦位置でファインダ１１が撮像方向に向かって右側に存在する例である。この場合には、タッチパネル３１の短辺Ｌ２を二等分して撮像方向に向かって左側の長辺Ｌ１に沿ってＬ２を二等分する形で粗動開始領域Ｗ１と微動開始領域Ｗ２とを設定する。又、短辺Ｌ２を二等分した右側（ファインダ側）には、不感領域Ｗ３を設定する。このように粗動開始領域Ｗ１、微動開始領域Ｗ２、及び不感領域Ｗ３を設定することにより、撮像装置１０が縦位置になったとしても、ユーザが粗動開始領域Ｗ１及び微動開始領域Ｗ２において、スワイプ操作を容易に行うことができる。又、不感領域Ｗ３を図示した位置に設けることにより、ユーザがファインダ１１を覗き込んだ際に顔の一部がタッチパネル３１に触れて、指標が誤って移動することを抑制することができる。
【０１１１】
図１５は、撮像装置１０の縦位置及び横位置に応じて、粗動開始領域Ｗ１、微動開始領域Ｗ２、及び不感領域Ｗ３の領域設定の流れを示すフローチャートである。
【０１１２】
先ず姿勢センサ５１により撮像装置１０の位置を検出する（ステップＳ２０）。そして、領域設定部１０５は、撮像装置１０が横位置であるか否かを判定する（ステップＳ２１）。撮像装置１０が横位置である場合には、横位置用の粗動開始領域Ｗ１と微動開始領域Ｗ２の領域設定を行う（ステップＳ２２）。横位置用の領域設定の例としては、図５及び図１１で示した例が挙げられる。
【０１１３】
一方、撮像装置１０が横位置でなく縦位置である場合には、領域設定部１０５は、姿勢センサ５１の検出結果に基づいて、ファインダ１１が撮像方向に向かって左側にある縦位置であるか否かを判定する（ステップＳ２３）。領域設定部１０５は、ファインダ１１が左側にあると判定した場合には、縦位置（ファインダ１１が左側）用の粗動開始領域Ｗ１と微動開始領域Ｗ２の領域設定を行う（ステップＳ２４）。尚、縦位置（ファインダ１１が左側）用の粗動開始領域Ｗ１と微動開始領域Ｗ２の領域設定の例としては、図１３で示した例が挙げられる。又領域設定部１０５は、ファインダ１１が右側にあると判定した場合には、縦位置（ファインダ１１が右側）用の粗動開始領域Ｗ１と微動開始領域Ｗ２の領域設定を行う（ステップＳ２５）。尚、縦位置（ファインダ１１が右側）用の粗動開始領域Ｗ１と微動開始領域Ｗ２の領域設定の例としては、図１４で示した例が挙げられる。
【０１１４】
以上のように、姿勢センサ５１の検出結果に基づいて、粗動開始領域Ｗ１、微動開始領域Ｗ２の領域設定、及び不感領域Ｗ３の領域設定を行うことにより、ユーザは無理なくタッチパネル３１に対してスワイプ操作を行うことができる。
【０１１５】
＜第４の実施形態＞
次に第４の実施形態に関して説明する。本実施形態では、ユーザがスワイプ操作で戻し操作を行った場合には、領域の設定が変更される。
【０１１６】
図１６は、本実施形態のＣＰＵ４０の主な機能構成例を示すブロック図である。尚、図４で既に説明を行った箇所は、同じ符号を付し説明は省略する。
【０１１７】
本実施形態のＣＰＵ４０は、感度設定部１０１、移動制御部１０３、及び感度強制設定部１０７を備える。尚、図４で既に説明を行った箇所は同じ符号を付し説明は省略する。
【０１１８】
感度強制設定部１０７は、感度を強制的に設定する。ここで、感度を強制的に設定するとは、予め設定されていた粗動感度と微動感度との受付設定を強制的に切り替える。例えば、感度強制設定部１０７は、粗動開始領域Ｗ１と微動開始領域Ｗ２とを入れ替えることにより、予め設定されていた粗動感度と微動感度との受付設定を強制的に切り替える。受付設定の切り替えとは、例えば粗動開始領域Ｗ１と微動開始領域Ｗ２との領域を入れ替えることである。
【０１１９】
感度強制設定部１０７は、スワイプ操作の開始地点（接触動作の地点）と、スワイプ操作の終了地点との間の距離が閾値以下である場合に、第１の感度の受付設定と第２の感度の受付設定とを強制的に切り替える。これは開始地点と終了地点との間の距離が閾値以下である場合には、感度強制設定部１０７はユーザが戻し操作を行ったと判定するからである。尚、スワイプ操作の開始地点及び終了地点は、タッチパネル３１により検出される。
【０１２０】
又、感度強制設定部１０７は、感度に応じて戻し操作を判定する閾値を変えてもよい。例えば感度強制設定部１０７は、粗動感度で指標が移動している場合には、開始地点と終了地点との間の距離が第１の閾値以下である場合には微動感度に切り替える。又例えば感度強制設定部１０７は、微動感度で指標が移動している場合には、開始地点と終了地点との間の距離が第２の閾値以下である場合には粗動感度に強制的に切り替える。尚、第１の閾値は第２の閾値よりも大きく設定されている。これは粗動感度の場合には、指標は長い距離を移動することが多く、微動感度の場合は短い距離を移動することが多いからである。
【０１２１】
図１７及び図１８は、戻し操作の例を示す図である。図１７は、タッチパネル３１におけるスワイプ操作を示す図である。又、図１８は、図１７に示したスワイプ操作に連動して、ファインダ用モニタ１３でのフォーカスエリアＦの移動を示す図である。尚、接触動作における開始地点（開始座標）Ｔ１は、微動開始領域Ｗ２において開始され、指１２０は矢印１２２に沿ってスワイプ操作を行い、終了地点（終了座標）Ｔ２においてスワイプ操作が終了する。この戻し操作に連動して、図１８に示すようにファインダ用モニタ１３では、指標の一例であるフォーカスエリアＦの位置が矢印１２４に沿って移動する。感度強制設定部１０７は、開始地点Ｔ１と終了地点Ｔ２との間の距離が閾値以下であるので、戻し操作が行われたと判定する。そして、感度強制設定部１０７は、図１７に示す粗動開始領域Ｗ１と微動開始領域Ｗ２との領域を変更する。すなわち、戻し操作が行われた後は、指標は粗動感度により移動する。
【０１２２】
次に、戻し操作の検出及び受付設定の変更の流れを説明する。
【０１２３】
図１９は、戻し操作の検出及び受付設定の変更の流れを示すフローチャートである。
【０１２４】
先ず、タッチパネル３１がスワイプ操作の開始である接触動作を検出する（ステップＳ３０）。タッチパネル３１が接触動作を検出すると、タッチパネル３１は接触動作の開始座標Ｔ１を取得する（ステップＳ３１）。その後、タッチパネル３１はスワイプ操作の終了を検出する（ステップＳ３２）。そして、スワイプ操作の終了座標Ｔ２を取得する（ステップＳ３３）。
【０１２５】
その後、感度強制設定部１０７は開始座標Ｔ１が粗動開始領域Ｗ１であるか否かを判定する（ステップＳ３４）。そして、スワイプ操作の開始座標Ｔ１が粗動開始領域Ｗ１である場合には、感度強制設定部１０７により、開始座標Ｔ１と終了座標Ｔ２との距離が第１の閾値以下であるか否かが判定される（ステップＳ３５）。開始座標Ｔ１と終了座標Ｔ２との距離が第１の閾値以下である場合には、感度強制設定部１０７は、開始座標Ｔ１が微動開始領域内となるように、領域の変更を行う（ステップＳ３６）。開始座標Ｔ１と終了座標Ｔ２との距離が第１の閾値より大きい場合には、感度強制設定部１０７は領域の変更を行わない。
【０１２６】
一方、スワイプ操作の開始座標Ｔ１が粗動開始領域Ｗ１である場合には、感度強制設定部１０７により、開始座標Ｔ１と終了座標Ｔ２との距離が第２の閾値以下であるか否かが判定される（ステップＳ３７）。開始座標Ｔ１と終了座標Ｔ２との距離が第２の閾値以下である場合には、感度強制設定部１０７は、スワイプ操作の開始座標Ｔ１が粗動開始領域内となるように、領域の変更を行う（ステップＳ３８）。開始座標Ｔ１と終了座標Ｔ２との距離が第２の閾値より大きい場合には、感度強制設定部１０７は領域の変更を行わない。
【０１２７】
このように、感度強制設定部１０７は、戻し操作の判定を閾値を使用して行い、感度を強制的に変更するので、ユーザは簡便に異なる感度により指標を移動させることができる。
【０１２８】
＜その他＞
以上の説明では、タッチパネル３１の領域において、粗動開始領域Ｗ１と微動開始領域Ｗ２とを設ける例について説明した。しかし、感度設定部１０１は、他の態様によっても粗動感度と微動感度とを設定することができる。
【０１２９】
感度設定部１０１は、接触動作の押圧により、指標の移動感度を設定してもよい。感度設定部１０１は、接触動作が第１の押圧で行われた場合には、第１の感度に設定し、接触動作が第２の押圧で行われた場合には、第２の感度に設定する。
【０１３０】
又、感度設定部１０１は、接触面積により、指標の移動感度を設定してもよい。感度設定部１０１は、接触動作が第１の接触面積で行われた場合には、第１の感度に設定し、接触動作が第２の接触面積で行われた場合には、第２の感度に設定する。
【０１３１】
また、感度設定部１０１は、タッチパネル３１への接触の指１２０の本数により、感度を設定してもよい。感度設定部１０１は、接触動作が第１の指１２０の本数で行われた場合には、第１の感度に設定し、接触動作が第２の指１２０の本数で行われた場合には、第２の感度に設定する。
【０１３２】
又以上の説明では、指標はフォーカスエリアＦの指標に関して説明したが、これに限定されるものではない。指標は、重畳表示される位置に応じて撮像条件又は画像処理条件を指示するもであれば特に限定されない。例えばホワイトバランスの補正量を示す指標に関しても、本発明は適用される。
【０１３３】
図２０は、ファインダ用モニタ１３に表示されるライブビュー画像に、重畳してホワイトバランスシフト画像が表示されていることを示す図である。
【０１３４】
ライブビュー画像に重畳的に表示されるホワイトバランスシフト画像（ＷＢシフト画像）１３１では、赤軸（Ｒ）、青軸（Ｂ）、緑軸（Ｇ）、及び黄色軸（Ｙ）がそれぞれ示されており、指標Ｓを移動させることによりホワイトバランスシフト量を調整する。具体的には、指標Ｓを移動させることにより、ホワイトバランスシフト量を調整し、そのホワイトバランスシフト量がライブビュー画像に反映されるので、ユーザは意図するホワイトバランスの調整を行うことができる。この場合に、ＷＢシフト画像において、ユーザが意図するように微動感度及び粗動感度で指標を動かすことにより、素早く且つ正確にＷＢシフト画像上で指標を移動させることができる。
【０１３５】
以上で本発明の例に関して説明してきたが、本発明は上述した実施の形態に限定されず、本発明の精神を逸脱しない範囲で種々の変形が可能であることは言うまでもない。
【符号の説明】
【０１３６】
１      ：ストロボ
２      ：シャッタボタン
３      ：電源／モードスイッチ
４      ：モードダイヤル
５      ：ズームボタン
５Ｔ    ：テレボタン
５Ｗ    ：ワイドボタン
６      ：十字ボタン
７      ：ＭＥＮＵ／ＯＫボタン
８      ：再生ボタン
９      ：ＢＡＣＫボタン
１０    ：撮像装置
１１    ：ファインダ
１２    ：撮影レンズ
１３    ：ファインダ用モニタ
１４    ：絞り
１５    ：メカシャッタ
１６    ：撮像素子
１７    ：アイセンサ
２２    ：画像入力コントローラ
２４    ：画像処理部
２６    ：圧縮伸張処理部
２８    ：ビデオエンコーダ
３０    ：背面モニタ
３１    ：タッチパネル
３２    ：センサ駆動部
３３    ：シャッタ駆動部
３４    ：絞り駆動部
３６    ：レンズ駆動部
３８    ：操作部
４０    ：ＣＰＵ
４２    ：ＡＦ処理部
４４    ：ＡＥ検出部
４７    ：ＲＯＭ
４８    ：メモリ
４９    ：タッチセンサ入力部
５１    ：姿勢センサ
５２    ：メディアコントローラ
５４    ：メモリカード
１０１  ：感度設定部
１０３  ：移動制御部
１０５  ：領域設定部
１０７  ：感度強制設定部
ステップＳ１０−Ｓ１５：撮像方法の工程
ステップＳ２０−Ｓ２５：領域設定の工程
ステップＳ３０−Ｓ３８：戻し操作の検出及び受付設定の変更の工程
【図１】
0006880326.tif 000002
【図２】
0006880326.tif 000003
【図３】
0006880326.tif 000004
【図４】
0006880326.tif 000005
【図５】
0006880326.tif 000006
【図６】
0006880326.tif 000007
【図７】
0006880326.tif 000008
【図８】
0006880326.tif 000009
【図９】
0006880326.tif 000010
【図１０】
0006880326.tif 000011
【図１１】
0006880326.tif 000012
【図１２】
0006880326.tif 000013
【図１３】
0006880326.tif 000014
【図１４】
0006880326.tif 000015
【図１５】
0006880326.tif 000016
【図１６】
0006880326.tif 000017
【図１７】
0006880326.tif 000018
【図１８】
0006880326.tif 000019
【図１９】
0006880326.tif 000020
【図２０】
0006880326.tif 000021